(57)【要約】      （修正有）【課題】スキャナー使用時にスキャナーから張り出した原稿を支えてセット位置での原稿の位置ずれやずれ落ちを防ぐことのできるスキャナー補助台を提供する。【解決手段】セット位置に載置された原稿１００のスキャナー本体２０からの張出し部分を支える原稿支持体１２と、スキャナー本体２０に原稿支持体１２を取り付けるための取付機構と、を備える。取付機構には、原稿支持体１２を抜差し自在な着脱方式の筒状の係合部材１５や、原稿支持体１２をスキャナー本体２０に対して出入り可能に支持するレール部材を用いることができる。原稿支持体１２を折畳み可能とすることもできる。【選択図】図１
0003131507.tif 000002
【実用新案登録請求の範囲】
【請求項１】
セット位置に載置された原稿のスキャナー本体からの張出し部分を支える原稿支持体と、このスキャナー本体に上記原稿支持体を取り付けるための取付機構と、を備えることを特徴とするスキャナー補助台。
【請求項２】
上記原稿支持体が上記取付機構に対して着脱自在に構成されている請求項１に記載したスキャナー補助台。
【請求項３】
上記取付機構が、上記原稿支持体を上記スキャナー本体に対して格納位置と上記原稿の張出し部分を支える作用位置との間で出し入れ可能に構成されている請求項１に記載したスキャナー補助台。
【請求項４】
上記取付機構に取り付けられた原稿支持体が、スキャナー本体の筐体の側面に沿う格納姿勢とその筐体の側面から突き出て上記原稿の張出し部分を支える作用姿勢との間で折畳み可能に構成されている請求項１に記載したスキャナー補助台。
【考案の詳細な説明】
【技術分野】
【０００１】
本考案は、スキャナー補助台、特に、スキャナー本体のセット位置に載置された本などの原稿がスキャナー本体から張り出すような場合に使用することのできるスキャナー補助台に関する。
【背景技術】
【０００２】
スキャナーは、ガラス面上のセット位置に載置されている原稿を光学的に読み取る機能（スキャン機能）を有している（たとえば、特許文献１参照）。そして、正規の使用状態では、Ａ４、Ａ３などの規格化されたサイズの原稿の全体が上記セット位置に載置される。しかし、場合によっては、ガラス面上のセット位置の広さよりも大きなサイズの原稿の一部だけをセット位置に載置した状態でスキャン操作を行うことを余儀なくされることも多々ある。たとえば、本やノートなどの書物の特定ページを開いて片側のページだけをスキャンするような場合である。
【０００３】
スキャナーを使って本やノートなどの書物の特定ページを開いて片側のページだけをスキャンする上記のような場合、書物のガラス面上のセット位置に載置されない他側のページが属している部分がスキャナーから張り出し、その重量で書物がセット位置からずれ落ちてしまうといった状況が起こり得る。このような状況は、書物についてだけでなく、たとえば新聞紙のような大サイズの原稿の一部だけをセット位置に載置した場合にも起こり得る。
【０００４】
そこで、従来は、書物や原稿のスキャナーから張り出した部分をオペレータが手で持ってそれらがずれ落ちることを防ぐといったことが行われていた。
【特許文献１】特開平０７−２０３１５６号公報
【考案の開示】
【考案が解決しようとする課題】
【０００５】
しかしながら、スキャナーから張り出した原稿をオペレータが手で持ったままその原稿をスキャンするという操作を行うことは煩わしいだけでなく、オペレータの手が不慮に動いてセット位置での原稿の位置ずれが生じ、スキャンに失敗するという事態の起こることもあり得る。
【０００６】
本考案は以上の状況に鑑みてなされたものであり、スキャナー使用時にスキャナーから張り出した原稿を支えてセット位置での原稿の位置ずれやずれ落ちを防ぐことのできるスキャナー補助台を提供することを目的とする。
【０００７】
また、本考案は、当該補助台を用いる必要のないときにその補助台がじゃまにならないようにするための対策が講じられたスキャナー補助台を提供することを目的とする。
【課題を解決するための手段】
【０００８】
本考案に係るスキャナー補助台は、セット位置に載置された原稿のスキャナー本体からの張出し部分を支える原稿支持体と、このスキャナー本体に上記原稿支持体を取り付けるための取付機構と、を備えている。
【０００９】
この構成のスキャナー補助台によると、取付機構を介してスキャナー本体に取り付けた原稿支持体によって、セット位置に載置された原稿のスキャナー本体からの張出し部分が支えられるために、開いた書物や新聞紙のような大サイズの原稿をスキャンするときでも原稿がずれ落ちたりセット位置で位置ずれしたりすることがなくなる。そのため、オペレータがその張出し部分を手で持ってスキャン操作を行うという煩わしさがなくなるだけでなく、原稿が位置ずれしてスキャンに失敗するという事態が起こらなくなる。
【００１０】
本考案では、上記原稿支持体が上記取付機構に対して着脱自在に構成されているものであっても、上記取付機構が、上記原稿支持台を上記スキャナー本体に対して格納位置と上記原稿の張出し部分を支える作用位置との間で出し入れ可能に構成されているものであっても、上記取付機構に取り付けられた原稿支持体が、スキャナー本体の筐体の側面に沿う格納姿勢とその筐体の側面から突き出て上記原稿の張出し部分を支える作用姿勢との間で折畳み可能に構成されているものであってもよい。
【００１１】
上掲の三者のうち、原稿支持体が取付機構に対して着脱自在に構成されているものによれば、開いた書物の片側ページだけをスキャンしたり、新聞紙などの大サイズの原稿の一部だけをスキャンしたりする場合のように、必要が生じたときにだけ原稿支持台をスキャナー本体に取り付け、必要がないときには原稿支持台をスキャナー本体から取り外しておくことができる。また、取付機構が、原稿支持台をスキャナー本体に対して格納位置と上記原稿の張出し部分を支える作用位置との間で出し入れ可能に構成されているものによれば、必要が生じたときだけ原稿支持台をスキャナー本体から作用位置に引き出し、必要がないときには原稿支持台をスキャナー本体に格納しておくことが可能であるので、必要がないときに原稿支持台がスキャナー本体から出っ張ってじゃまになるという事態を解消することが可能である。さらに、取付機構に取り付けられた原稿支持体が、スキャナー本体の筐体の側面に沿う格納姿勢とその筐体の側面から突き出て原稿の張出し部分を支える作用姿勢との間で折畳み可能に構成されているものによっても、必要が生じたときだけ原稿支持台を作用姿勢とし、必要がないときには原稿支持台を格納姿勢に折り畳んでおくことが可能であるので、必要がないときに原稿支持台がスキャナー本体の筐体から出っ張ってじゃまになるという事態を解消することが可能である。
【考案の効果】
【００１２】
以上のように、本考案に係るスキャナー補助台を用いることにより、開いた書物や新聞紙のような大サイズの原稿をスキャンするときに、オペレータがスキャナー本体から張り出した原稿を手で持っておくという煩わしさがなくなるだけでなく、スキャン中にセット位置で原稿が位置ずれしてスキャンに失敗するという事態も起こらなくすることができるという効果が奏される。また、原稿支持体をスキャナー本体に対して着脱可能としたり出退可能としたり折畳み可能としたものでは、当該補助台を用いる必要のないときにその補助台がじゃまになるという事態の起こることを回避することも可能になる。
【考案を実施するための最良の形態】
【００１３】
図１は本考案に係るスキャナー補助台を有するスキャナーの概略平面図、図２は使用状態を示した概略側面図、図３は他の使用状態を示した概略側面図、図４は取付機構と共に原稿支持体１２を示した概略分解斜視図、図５は他の種類の取付機構と共に原稿支持体１２を示した概略分解斜視図、図６（Ａ）は折畳み可能な原稿支持体１２の使用状態を示した概略斜視図、同（Ｂ）は折畳み可能な原稿支持体１２の動作を示した概略側面図、図７は折畳み可能な原稿支持体の変形例を示した概略図であり、（Ａ）は折畳み可能な原稿支持体の使用状態を示した概略斜視図、（Ｂ）は折畳み可能な原稿支持体の動作を示した概略側面図であり、図８は折畳み可能な原稿支持体１２の変形例を示した概略斜視図である。
【００１４】
図１に示した実施形態のスキャナー補助台１０は、原稿が載置されるガラス２１を有するスキャナー本体２０に装備されていて、スキャナー使用時には、ガラス２１の面上に規定されているセット位置に載置された原稿のスキャナー本体２０からの張出し部分を支えることに用いられる。この用途に用いられるスキャナー補助台１０は、スキャナー本体２０から張り出した原稿が載架されてその原稿を下から支える原稿支持体１２と、この原稿支持体１２をスキャナー本体２０に取り付けるための取付機構（図１において不図示）と、を備えている。スキャナー補助台１０の取付機構には、原稿支持体１２をスキャナー本体２０の筐体に固定するという手段（固着方式）のほか、原稿支持体１２をスキャナー本体２０に着脱可能とする手段（着脱方式）、原稿支持体１２をスキャナー本体２０に対して矢印Ａで示した方向に出し入れ可能とする手段（スライド方式）を採用することが可能である。
【００１５】
取付機構の１方式としての上記固着方式には、たとえば、スキャナー本体２０の筐体に所定箇所に原稿支持体１２をビス止めするというビス止め構造のほか、接着剤で接合するという接着構造などを適宜採用することが可能である。
【００１６】
取付機構の他の方式としての着脱方式を採用した一例を図４に示してある。この事例は、スキャナー本体２０の筐体にビス止めによって固定されたり、その筐体と一体に形成されたりする係合孔部１６を有する筒状の係合部材１５によって取付機構を構成したものである。そして、この係合部材１５の係合孔部１６に原稿支持体１２に具備されているロッド状の脚部１３を差し込むと、原稿支持体１２が係合部材１５でなる取付機構を介してスキャナー本体２０に取り付けられるのに対し、脚部１３を係合部材１５の係合孔部１６から引き抜くことによって原稿支持体１２がスキャナー本体２０から取り外される。
【００１７】
取付機構のさらに他の方式としてのスライド方式を採用した一例を図５に示してある。この事例は、スキャナー本体２０の筐体の内部に原稿支持体１２を収容し得る広さの格納スペースを確保しておき、その格納スペース内で上記筐体に取り付けたレール材１７によって上記取付機構を構成してある。そして、原稿支持体１２をレール材１７によりスライド自在に保持させることによって、その原稿支持体１２を、スキャナー本体２０に対する格納位置である上記格納スペースの内部と、原稿の張出し部分を支える作用位置である上記格納スペースの外部と、の間で出し入れ可能としてある。
【００１８】
図６の事例は、折畳み方式のスキャナー補助台１０を示している。この事例では、スキャナー本体２０の筐体の側面に水平回動軸を有する取付機構としてのヒンジ１８を介して原稿支持体１２を取り付けてあり、ヒンジ１８を中心として原稿支持体１２を同図（Ａ）及び同図（Ｂ）仮想線で示した作用姿勢と同図（Ｂ）実線で示した格納姿勢との間で折畳み可能としてある。そして、格納姿勢の原稿支持体１２を持ち上げて同図（Ａ）及び同図（Ｂ）仮想線で示したように作用姿勢にしたときには、その原稿支持体１２が上記筐体の側面から突き出てスキャナー本体２０のガラス面（不図示）の側方へ張り出すのに対し、原稿支持体１２を作用姿勢から下方へ倒して同図（Ｂ）実線で示した格納姿勢にしたときには、その原稿支持体１２が上記筐体の側面に沿うようになっている。また、この事例では、原稿支持体１２を作用姿勢に保つための手段として、上記筐体の側面にヒンジ１９ａを介して取り付けた支持脚１９を採用してあり、この支持脚１９をヒンジ１９ａを中心として持ち上げて同図（Ａ）及び同図（Ｂ）仮想線のように水平姿勢の原稿支持体１２の裏面に係合させることによって、支持脚１９によって原稿支持体１２の作用姿勢が保たれるようになっている。なお、１２ａは原稿支持体１２の裏面に設けられている係合突起であり、原稿支持体１２を作用姿勢に保っている支持脚１９は、その自由端がこの係合突起１２ａに係合されている。
【００１９】
図７の事例は、折畳み方式のスキャナー補助台１０の変形例を示している。この事例における、原稿支持体１２の構成は図６に示した事例と同構成であるが、この事例では、原稿支持体１２を作用姿勢に保つための手段として、上記筐体の側面にヒンジ１９ａを介して取り付けた支持脚１９２つを相対するように配置してあり、これらの支持脚１９をヒンジ１９ａを中心として観音開きにして同図（Ａ）及び同図（Ｂ）仮想線のように水平姿勢の原稿支持体１２の裏面に係合させることによって、支持脚１９によって原稿支持体１２の作用姿勢が保たれるようになっている。なお、１２ａは原稿支持体１２の裏面に設けられている係合突起であり、原稿支持体１２を作用姿勢に保っている支持脚１９の上端がこの係合突起１２ａに係合されて位置決めされる。
【００２０】
図８の事例は、折畳み方式のスキャナー補助台１０の変形例を示している。この事例では、取付機構としての垂直軸線を備えた筒形軸受３１をスキャナー本体２０の筐体の側面に固定してあると共に、原稿支持体１２を構成している一対の枠体３２，３３の基端側の軸部３２ａ，３３ａを上記筒形軸受け３１に回動自在に係合させてある。そして、それらの一対の枠体３２，３３を軸部２、３２ａ，３３ａを中心として回動させて同図実線のように交差させ、上記筐体の側面から突き出させると、原稿支持体１２が作用姿勢になる。また、一対の枠体３２，３３を軸部２、３２ａ，３３ａを中心として回動させて折り畳むことにより同図仮想線のように筐体の側面に沿わせた格納姿勢にすることも可能である。
【００２１】
上記した各事例において、原稿支持体１２は、ロッド材やパイプ材を門形に折り曲げることによって製作することができるほか、板状の樹脂成形体によっても製作することができる。そして、取付機構に着脱方式を採用する場合、前者では、図４に示した係合部材１５に対して抜き差しされる脚部１２として、ロッド材やパイプ材の端部をそのまま使用することができるという利点がある。これに対し、後者では、板状の樹脂成形体に脚部１２として役立つ突出部を一体に成形しておけばよい。また、取付機構にスライド方式を採用する場合、前者では、門形のロッド材やパイプ材の相対向する一対の平行部分を図５に示したレール材１７にスライド自在に保持させる構成を採用することができる。さらに、図６や図８に示した折畳み方式を採用する場合にも同様に、原稿支持体１２をロッド材やパイプ材を折り曲げることによって製作することができるほか、板状の樹脂成形体によっても製作することができる。
【００２２】
図２に示した実施形態では、図４に示した係合部材１５をスキャナー本体２０の筐体の外壁に取り付けてあり、その係合部材１５に対して図４に示した原稿支持体１２を着脱自在としてある。
【００２３】
図２のように、係合部材１５に原稿支持体１２のロッド状の脚部１３を差し込んで装着すると、原稿支持体１２の先端がスキャナー本体２０からその側方に離れた位置でスキャナー本体２０のガラス２１と略同一高さのところに位置する。そのため、たとえば本やノートなどの書物でなる原稿１００の特定ページを開いて片側のページ１０１だけをスキャンするときには、ガラス２１の面上に規定されているセット位置にその片側のページ１０１を載置する一方で、スキャナー本体２０の側方に張り出した部分を原稿支持体１２の上に乗せることによって、スキャナー本体２０の側方に張り出したページ１０２が属している部分でその原稿１００を下から支えさせておけばよい。この状態でスキャナー本体２０のスキャン機能を動作させれば、スキャン動作中にセット位置で原稿１００が位置ずれしたりスキャナー本体２０からずれ落ちたりするという事態が起こらなくなって、スキャンが失敗なく正常に行われる。これと同様の作用は、原稿支持体１２が板状の樹脂成形体で構成されていても発揮されるし、取付機構に固定方式やスライド方式を採用した場合にも発揮される。さらに、原稿支持体１２の姿勢などを適切に選定するだけで、その全体で原稿１００の張出し部分を支えさせることも可能である。
【００２４】
図３は取付機構をスライド方式とした場合の使用状態を例示してある。この事例では、新聞紙のような大サイズの原稿１００の一部だけをセット位置に載置し、そのセット位置から張り出した余剰部分を原稿支持体１２によって下から支えさせている。このものによっても、スキャン動作中にセット位置で原稿１００が位置ずれしたりスキャナー本体２０からずれ落ちたりするという事態が起こらなくなって、スキャンが失敗なく正常に行われる。また、この事例では、スキャナー本体２０から張り出した余剰部分の張出し長さに合わせて原稿支持体１２の位置を調節することができるという利点もある。
図６や図８に示した折畳み方式を採用した場合には、、作用姿勢の原稿支持体１２によって原稿の張出し部分を支えさせることができる。
【００２５】
取付機構に着脱方式を採用した場合には、原稿支持体１２を取り外しておくことによってそれがじゃまになることを防ぐことが可能である。また、取付機構にスライド方式を採用した場合には、原稿支持体１２を不使用時にスキャナー本体２０に格納しておくことによってそれがじゃまになることを防ぐことが可能である。さらに、折畳み方式のものでは、原稿支持体１２を格納姿勢にすることによってそれがじゃまになることを防ぐことが可能である。
【００２６】
なお、図１〜図８では同一又は相応する要素に同一符号を付してある。
【図面の簡単な説明】
【００２７】
【図１】本考案に係るスキャナー補助台を有するスキャナーの概略平面図である。
【図２】使用状態を示した概略側面図である。
【図３】他の使用状態を示した概略側面図である。
【図４】取付機構と共に原稿支持体を示した概略分解斜視図である。
【図５】他の種類の取付機構と共に原稿支持体を示した概略分解斜視図である。
【図６】（Ａ）は折畳み可能な原稿支持体の使用状態を示した概略斜視図、（Ｂ）は折畳み可能な原稿支持体の動作を示した概略側面図である。
【図７】折畳み可能な原稿支持体の変形例を示した概略図であり、（Ａ）は折畳み可能な原稿支持体の使用状態を示した概略斜視図、（Ｂ）は折畳み可能な原稿支持体の動作を示した概略側面図である。
【図８】折畳み可能な原稿支持体の変形例を示した概略斜視図である。
【符号の説明】
【００２８】
１０  スキャナー補助台
１２  原稿支持体
１５  係合部材（取付機構）
１７  レール部材（取付機構）
２０  スキャナー本体
１００  原稿
【図１】
0003131507.tif 000003
【図２】
0003131507.tif 000004
【図３】
0003131507.tif 000005
【図４】
0003131507.tif 000006
【図５】
0003131507.tif 000007
【図６】
0003131507.tif 000008
【図７】
0003131507.tif 000009
【図８】
0003131507.tif 000010